(57)【特許請求の範囲】
【請求項１】
テープ状の第１の記録媒体に情報信号を記録再生する第１の記録再生手段と、
ランダムアクセス可能な第２の記録媒体に情報信号を記録再生する第２の記録再生手段と、
前記第１の記録再生手段による前記第１の記録媒体への情報信号の記録中に頭出し位置が指定されると、前記第２の記録再生手段に対し前記第２の記録媒体へ前記指定された頭出し位置から前記情報信号を所定の記録期間だけ記録させると共に、前記第１の記録再生手段に対し前記第１の記録媒体へ前記頭出し位置を記録させ、前記第２の記録媒体への前記情報信号の記録が終了したとき、前記第２の記録再生手段に対しその記録終了時点における前記第１の記録媒体のトラック番号を前記第２の記録媒体へ記録するよう制御する記録制御手段と、
前記第１の記録媒体に記録された前記頭出し位置を指定して再生要求がされると、その再生要求に基づいて前記第２の記録再生手段に対し前記第２の記録媒体に記録された前記情報信号を再生させると共に、前記第１の記録再生手段に対し前記第２の記録媒体に記録された前記トラック番号まで前記第１の記録媒体を早送りまたは巻き戻しをさせて再生スタンバイ状態にし、前記第２の記録再生手段による前記情報信号の再生時間が前記記録期間を経過した時、前記第１の記録再生手段を前記再生スタンバイ状態から再生状態へ移行させるよう制御する再生制御手段と、
を有し、
前記記録制御手段は、
前記第１の記録媒体の全長をＬ、
前記第１の記録媒体の早送りまたは巻き戻しの速度をＶ、
前記第１の記録媒体上に前記頭出し信号を記録した位置をＣ、としたとき、
前記記録期間Ｐを、Ｐ＝（｜Ｌ−２Ｃ｜＋Ｌ）／（２Ｖ）とする記録制御手段である、
ことを特徴とする記録再生装置。
【請求項２】
テープ状の第１の記録媒体への情報信号の記録中に頭出し位置が指定されると、前記指定された頭出し位置から前記情報信号を所定の記録期間だけランダムアクセス可能な第２の記録媒体へ記録すると共に、前記第１の記録媒体へ前記頭出し位置を記録する第１の記録ステップと、
前記第２の記録媒体への前記情報信号の記録が終了したとき、その記録終了時点における前記第１の記録媒体のトラック番号を前記第２の記録媒体へ記録する第２の記録ステップと、
前記第１の記録媒体に記録された前記頭出し位置を指定して再生要求がされると、その再生要求に基づいて前記第２の記録媒体に記録された前記情報信号を再生すると共に、前記第２の記録媒体に記録された前記トラック番号まで前記第１の記録媒体を早送りまたは巻き戻しをさせて前記トラック番号にて再生スタンバイ状態にするステップと、
前記第２の記録媒体における前記情報信号の再生時間が前記記録期間を経過した時、前記再生スタンバイ状態から前記第１の記録媒体の再生状態にするステップと、
を有し、
前記第１の記録ステップは、
前記第１の記録媒体の全長をＬ、
前記第１の記録媒体の早送りまたは巻き戻しの速度をＶ、
前記第１の記録媒体上に前記頭出し信号を記録した位置をＣ、としたとき、
前記記録期間Ｐを、Ｐ＝（｜Ｌ−２Ｃ｜＋Ｌ）／（２Ｖ）とする記録ステップである、
ことを特徴とする記録再生方法。
【発明の詳細な説明】
【０００１】
【発明の属する技術分野】
本発明は、テープ状の記録媒体を用いた記録再生装置に関し、特に頭出し等の際に高速アクセス可能な記録再生装置および記録再生方法に関する。
【０００２】
【従来の技術】
従来、映像や音楽等の信号を記録するための記録媒体として、テープ状の記録媒体が用いられていた。このようなテープ状の記録媒体は、ディスク状の記録媒体やメモリ状の記録媒体に比べて記憶容量が大きく、その記録コストも非常に低いという優れた特徴を有している。
【０００３】
しかしながら、テープ状の記録媒体は必ずリールに巻き取られた状態で用いられるので、頭出し等のアクセス時にテープ状の記録媒体を所定の場所に送るための待ち時間が必要であり、アクセス性が非常に悪いという欠点がある。この欠点を解消するために前述したテープ状の記録媒体を用いた再生装置において、テープの送り速度を上げることが考えられていたが、テープの送り速度を上げてもアクセス性の向上には限界があった。
【０００４】
また、映像をデジタル圧縮し、ハードディスクドライブ（ＨＤＤ）等の高速アクセスが可能な記録媒体に信号の記録再生を行うパーソナルビデオレコーダー（ＰＶＲ）が実用化されており、これをテープ状の記録媒体の代わりに使用することが考えられていた。
【０００５】
しかしながら、ハードディスクドライブ等の高速アクセスが可能な記録媒体を使用したＰＶＲは任意の再生位置へ瞬時に頭出しして再生する能力を持つが、記録媒体が取り外し不可能な場合が多い。また、その容量についても、大容量とするとコストがかかるため、ある程度限界があった。従って、ＰＶＲは留守番録画等のタイムシフトの用途にとどまっている。
【０００６】
また、テープ状の記録媒体と、ＨＤＤ等の高速アクセス可能な記録媒体との双方の利点を生かすために、テープ状の記録媒体を使用するＶＴＲと、ＨＤＤ等の高速アクセス可能な記録媒体を使用するＰＶＲとを組み合わせた機器も提案されているが、やはりある程度大容量の高速アクセス可能な記録媒体を使用すると高価になってしまうという問題があった。
【０００７】
【発明が解決しようとする課題】
上述したように、記録再生装置に使用する記録媒体として、テープ状の記録媒体を使用するとアクセス性が低下してしまうという欠点があり、記録再生装置に使用する記録媒体として、ＨＤＤ等の高速アクセス可能な記録媒体を使用するとそのコストが増大してしまうという欠点があった。
【０００８】
本発明は、上述した課題を解決するために、テープ状の記録媒体と高速アクセスが可能な記録媒体を同時に用いる記録再生装置において、頭出し等のアクセスの高速化と、低記録コストを両立することができる記録再生装置を提供することを目的とする。
【０００９】
【課題を解決するための手段】
上述した課題を解決するために、本発明は以下の装置及び方法を提供するものである。
（１） テープ状の第１の記録媒体に情報信号を記録再生する第１の記録再生手段と、
ランダムアクセス可能な第２の記録媒体に情報信号を記録再生する第２の記録再生手段と、
前記第１の記録再生手段による前記第１の記録媒体への情報信号の記録中に頭出し位置が指定されると、前記第２の記録再生手段に対し前記第２の記録媒体へ前記指定された頭出し位置から前記情報信号を所定の記録期間だけ記録させると共に、前記第１の記録再生手段に対し前記第１の記録媒体へ前記頭出し位置を記録させ、前記第２の記録媒体への前記情報信号の記録が終了したとき、前記第２の記録再生手段に対しその記録終了時点における前記第１の記録媒体のトラック番号を前記第２の記録媒体へ記録するよう制御する記録制御手段と、
前記第１の記録媒体に記録された前記頭出し位置を指定して再生要求がされると、その再生要求に基づいて前記第２の記録再生手段に対し前記第２の記録媒体に記録された前記情報信号を再生させると共に、前記第１の記録再生手段に対し前記第２の記録媒体に記録された前記トラック番号まで前記第１の記録媒体を早送りまたは巻き戻しをさせて再生スタンバイ状態にし、前記第２の記録再生手段による前記情報信号の再生時間が前記記録期間を経過した時、前記第１の記録再生手段を前記再生スタンバイ状態から再生状態へ移行させるよう制御する再生制御手段と、
を有し、
前記記録制御手段は、
前記第１の記録媒体の全長をＬ、
前記第１の記録媒体の早送りまたは巻き戻しの速度をＶ、
前記第１の記録媒体上に前記頭出し信号を記録した位置をＣ、としたとき、
前記記録期間Ｐを、Ｐ＝（｜Ｌ−２Ｃ｜＋Ｌ）／（２Ｖ）とする記録制御手段である、
ことを特徴とする記録再生装置。
（２） テープ状の第１の記録媒体への情報信号の記録中に頭出し位置が指定されると、前記指定された頭出し位置から前記情報信号を所定の記録期間だけランダムアクセス可能な第２の記録媒体へ記録すると共に、前記第１の記録媒体へ前記頭出し位置を記録する第１の記録ステップと、
前記第２の記録媒体への前記情報信号の記録が終了したとき、その記録終了時点における前記第１の記録媒体のトラック番号を前記第２の記録媒体へ記録する第２の記録ステップと、
前記第１の記録媒体に記録された前記頭出し位置を指定して再生要求がされると、その再生要求に基づいて前記第２の記録媒体に記録された前記情報信号を再生すると共に、前記第２の記録媒体に記録された前記トラック番号まで前記第１の記録媒体を早送りまたは巻き戻しをさせて前記トラック番号にて再生スタンバイ状態にするステップと、
前記第２の記録媒体における前記情報信号の再生時間が前記記録期間を経過した時、前記再生スタンバイ状態から前記第１の記録媒体の再生状態にするステップと、
を有し、
前記第１の記録ステップは、
前記第１の記録媒体の全長をＬ、
前記第１の記録媒体の早送りまたは巻き戻しの速度をＶ、
前記第１の記録媒体上に前記頭出し信号を記録した位置をＣ、としたとき、
前記記録期間Ｐを、Ｐ＝（｜Ｌ−２Ｃ｜＋Ｌ）／（２Ｖ）とする記録ステップである、
ことを特徴とする記録再生方法。
【００１０】
【発明の実施の形態】
以下、本発明に係る記録装置及び再生装置について、図面を参照して説明する。同図によれば、外部から到来する映像信号及び音声信号を入力する信号入力部８と、外部へ映像信号及び音声信号を出力する信号出力部９と、信号を磁気テープ５やＨＤＤ７等の記録媒体の入出力に適するように処理を行う信号処理部Ａ３と信号処理部Ｂ６と、磁気テープ５の駆動と信号読み取り及び書き込みを行うトランスポート部４と、全体の制御を行う制御部２と、ユーザーの操作を受け付ける操作部１とによって構成されている。
【００１１】
磁気テープ５には主に映像信号及び音声信号を記録する主トラック領域が連続的に形成される。その他、トラック領域の一部或いはテープの長手方向に直線的に確保される制御トラック領域には様々な制御信号が記録される。また、頭出し信号は主トラックに記録された映像信号及び音声信号の内容が切り替わる位置に記録される。例えば、チャプターの先頭位置に示すように記録される。更に、制御トラック領域にはテープ先頭から何番目の主トラックであるかが得られるように、トラック番号が連続的に記録される。トラックの記録密度はテープ全体に渡って均一であり、記録再生時のテープ走行速度は一定であるため、トラック番号を読み取れば現在のテープ先頭からの物理的な位置と再生時間が識別可能である。
【００１２】
また、トランスポート部４は上述した基本的な機能の他に装着された磁気テープ５の全長と概略のテープ位置を検出する機能を持つ。検出方法は様々なものが提案されているが、ある程度磁気テープ５を走行させ、テープ送り量とリール回転角から全長とテープ位置とを検出する等が行われる。
【００１３】
次に、本発明に係る記録再生装置が磁気テープ５に信号記録を行う際の動作について図４を用いて説明する。まず、磁気テープ５がトランスポート部４にローディングされると（ステップ１１）、制御部２の指示に従ってトランスポート部４は磁気テープ５をある程度走行させ、磁気テープ５の全長Ｌと概略のテープ位置を検出し、制御部２へ送信する。次に、ト制御部２は操作部１からの記録開始指示を待ち（ステップ１２）、操作部１からの記録開始指示により信号入力部８からの信号を信号処理部Ａ３、信号処理部Ｂ６の入力に接続するように制御する（ステップ１３）。続いて、トランスポート部４は磁気テープ５を走行させて映像信号及び音声信号の記録を開始する。そして、磁気テープ５のトラック番号を読み出して制御部２に送信する動作が実行される（ステップ１４）。この後、制御部２はトラック番号から現在のテープ位置Ｃを保持するように計算を繰り返す。
【００１４】
ユーザーは、入力される信号を映像モニターで確認しており、記録中に頭出しの位置を指定する操作を操作部１にて行う（ステップ１５）。これにより、制御部２は信号処理部Ｂ６へ入力信号を送りＨＤＤ７での記録を開始すると共に（ステップ１６）、トランスポート部４に頭出し信号の磁気テープ５への書き込みを指示する。ＨＤＤ７への記録は制御部２で計算される期間Ｐの間だけ行われる。期間Ｐはトランスポート部４の早送り／巻戻し速度Ｖを用いてＰ＝（｜Ｌ−２Ｃ｜＋Ｌ）／２Ｖによって表される（ステップ１７）。この値は特定のテープ位置Ｃへ向かって磁気テープ５を早送りもしくは巻戻しする際の最悪値に等しい。期間Ｐはテープ位置Ｃに従って図２に示すように変化する。ＨＤＤ７には、この一連の記録と共に記録終了時点の磁気テープ上でのトラック番号Ｔｅも記録しておく（ステップ１８）。以降、記録中にユーザー入力があるたびに上記動作が繰り返される（ステップ１９）。また、ユーザーからの記録終了指示等によって磁気テープ５の記録を終了（ステップ２０）した後にはＨＤＤ７上に指定された頭出し位置からの信号が頭出し位置指定の回数分記録されているが、各一連の期間は異なっている。
【００１５】
また、ＨＤＤ７上に上述した頭出し位置からの信号が記録されていない状態において、磁気テープ５の再生を開始する場合も同様なＨＤＤ７への記録が行われる。上記磁気テープ媒体５に信号記録を行う際の動作と異なる点は、既に磁気テープ５上には頭出し信号が記録されており、ユーザー入力を、磁気テープ５の頭出し信号を検出することに置き換えて動作する。そして、信号処理部Ｂ６へ供給される信号は信号入力部８からではなく、信号処理部Ａ３から、すなわち磁気テープ５から再生される信号とする。
【００１６】
このように、一旦ＨＤＤ７上に指定された頭出し位置からの信号を記録した後の頭出し再生について図４を用いて説明する。磁気テープ５がトランスポート部４にローディングされ、信号処理部Ａ３と信号出力部９を接続し、磁気テープ５の再生が開始される（ステップ２１）。そして、ユーザーが磁気テープ５上にある頭出し位置を選択し、頭出し再生をするように操作すると（ステップ２２）、操作部１からの指示に従って制御部２はＨＤＤ７から対応する信号を再生するように指示し、信号処理部Ｂ６の出力を信号出力部９へ送る（ステップ２３）。従って、ユーザー操作から遅れることなく所望の映像信号及び音声信号が再生される。これと共に制御部２はＨＤＤ７からトラック番号Ｔｅを読み出し、トランスポート部４へトラック番号Ｔｅのテープ頭出しを実行するように指示する。トランスポート部４は指定位置を得るために、磁気テープ５を駆動する（ステップ２４）。ローディングされた磁気テープ５の現在位置はまちまちであるため、磁気テープ５上のトラック番号を検出し（ステップ２５）、トラック番号Ｔｅと比較して、早送り動作か巻戻し動作かを決定する。この後、トラック番号Ｔｅを検出したらステップ２６へ移行し、磁気テープ５を再生スタンバイ状態とする。
【００１７】
ＨＤＤ７からの再生は継続され、期間Ｐが経過した（ステップ２７）と判断されたとき、ステップ２８において制御部２はトランスポート部４へ再生スタンバイ状態から再生状態への移行を通知し、信号処理部Ｂ６と信号バスとの接続を解除して信号処理部Ａ３の出力を信号バスに接続する。この結果、再生はＨＤＤ７から磁気テープ５へとスムースに移行する。以降、ステップ２９にてユーザからの再生終了指示が検知され、磁気テープ５の再生を終了する（ステップ３０）
【００１８】
【発明の効果】
以上詳述したように、本発明に係る記録再生装置によれば、一旦、入力信号をテープに記録するか、或いは、既に記録済みのテープを再生した後には、指定された頭出し位置からの再生動作に対する待ち時間が見かけ上極小に短縮されるという効果を奏する。更に、高速アクセスが可能な媒体上の使用容量を最小にしながらテープの現在位置がどこにあっても指定された頭出し位置における再生動作に対する待ち時間が短縮される。
【図面の簡単な説明】
【図１】本発明に係る記録再生装置の構成を示すブロック図である。
【図２】テープ位置Ｃとアクセス時間との関係を表す表である。
【図３】本発明に係る記録再生装置の記録動作を示すフローチャートである。
【図４】本発明に係る記録再生装置の再生動作を示すフローチャートである。
【符号の説明】
１    操作部
２    制御部
３    信号処理部Ａ
４    トランスポート部
５    磁気テープ
６    信号処理部Ｂ
７    ＨＤＤ
８    信号入力部
９    信号出力部
【図１】
0003797236.tif 000002
【図２】
0003797236.tif 000003
【図４】
0003797236.tif 000004
【図３】
0003797236.tif 000005